(57)【特許請求の範囲】
【請求項１】
男性が立って小便をするための補助具であって、男性の局部を覆うカップ部と、このカップ部の下部に一端が連通する排尿ホースと、この排尿ホースの他端を洋式便器の縁に固定する固定手段と、水洗のために前記カップ部の上縁部に一端が連通する水洗ホースと、この水洗ホースの他端を蛇口に、または水洗タンクの水道に接続する接続手段と、前記カップ部自体の縁部に配置され前記水洗ホースの一端と連通することで前記カップ部自体の縁部から中心部へ水を流す放水部と、を有し、前記固定手段は、この洋式便器の縁部と、洋式便器の縁部と便座との間に存在する隙間を大きくするために、裏側にスペーサーを貼付けた便座との間に存在する隙間に排尿ホースの他端を固定するものであり、前記カップ部は、前記カップ部に蓋をする別体のカップ蓋と、前記カップ部を壁に保持するためのカップホルダーを有し、このカップホルダーには、前記カップ蓋を保持する蓋ホルダーが備えられ、前記カップ部の前記上縁部に前記水洗ホースの一端が連通する連通部には、連通部水栓が設けられ、前記接続手段は、蛇口または水洗タンクへの流れと水栓ホースへの流れを分岐する分岐部と分岐部水栓が設けられ、前記放水部は、前記カップ部自体の縁部に配置されたリング状のパイプを有し、このパイプにはリング状の長手方向に複数の放水孔が前記カップ部の中心部へ向かって形成され、前記カップ部は、男性の局部の周囲で身体の曲面に密着する縁部形状を有し、前記排尿ホースおよび前記水洗ホースは、変形が少ないシリコンゴム材質としたことを特長とするハンディートイレ。
【発明の詳細な説明】
【技術分野】
【０００１】
この発明は、男性が立って小便をする際に便器や便器周辺に小便を飛散させ汚すのを防ぐための補助具の構造に関する。
【背景技術】
【０００２】
トイレで、男性が立ったまま小便をする際に、便器や便器周辺に小便が飛散し、汚したり、においが発生することで、不衛生になったり、掃除が大変であるという問題は、長年解決されていない。
特に、高齢者の男性など介護を必要とする男性の場合、小便の間じっと身体を固定することが難しく汚しやすいのだが、かといって無理に洋式便器に座らせると、大多数の男性は長年立ったまま小便をすることに慣れており、そのために、尿意がなくなってしまったり、膝の曲げ伸ばしが大変であったりと、難しい問題である。また、小便の回数は、年をとる毎に多くなり、その介助は、介護者にとって大変重労働であり、その清掃作業も重い負担となる。
【０００３】
男性が立ったまま小便をすることを補助するための補助具が、例えば下記特許文献１、２に開示される。
下記特許文献１には、男性の局部を覆うカップに長いガイドパイプが連続することで、小便を便器に導くものが開示されている。
下記特許文献２には、男性の小便を受ける漏斗状の筒体が、筒体の先端を洋式便器の中心に向けた状態で、便器の蓋に取付けられたものが開示されている。
【先行技術文献】
【特許文献】
【０００４】
【特許文献１】実用新案登録３１０２９９１
【特許文献２】特開２００１−１６１７３４
【発明の概要】
【発明が解決しようとする課題】
【０００５】
しかしながら、上記特許文献１、２の補助具は、内部が尿に汚れ、洗浄が大変である。洗浄を怠ると、悪臭や細菌の発生を招いてしまう。
また、上記特許文献１は、ガイドパイプの先端の狙いを便器に定めるのが難しく、介護者は、被介護者の男性の身体を支えると同時に、狙いを便器に定めることは、きわめて難しい。
【０００６】
また、上記特許文献２の補助具は、便器の蓋に取付けられ狙いを定める必要はないが、使用しないときには、取り外して保管しなければならず、再使用の時には、再び取付け作業をしなければならない。しかし、被介護者の男性の身体を支えると同時に、取付け作業を行なうことは、きわめて難しい。このため、一度、トイレで取付け作業を終えてから、被介護者の男性をトイレまで、連れてこなければならず、２度手間になってしまい、介護労働を増加させる。
また、この取付けられた補助具は静止しているので、これにあわせて身体を静止し続けなければならないので、使用しづらい。
【０００７】
この発明は、以上の問題点を解決するために、男性が立ったまま小便をすることを補助する補助具の洗浄が容易で、補助具の狙いを便器に定める必要がなく、使用時に補助具の取付の必要がない、補助具であるハンディートイレを提供することを目的とする。
【課題を解決するための手段】
【０００８】
以上の課題を解決するために、第一発明は、男性が立って小便をするための補助具であって、男性の局部を覆うカップ部と、このカップ部の下部に一端が連通する排尿ホースと、この排尿ホースの他端を便器の縁に固定する固定手段と、水洗のために前記カップ部の上縁部に一端が連通する水洗ホースと、この水洗ホースの他端を蛇口に、または水洗タンクの水道に接続する接続手段と、前記カップ部の縁部に配置され前記水洗ホースの一端と連通することで前記カップ部の縁部から中心部へ水を流す放水部と、を有することを特長とするハンディートイレである。 
【０００９】
第二発明は、さらに、前記便器は、洋式便器であり、前記固定手段は、この洋式便器の縁部と便座との間に存在する隙間に排尿ホースの他端を固定するものであり、前記カップ部は、前記カップ部に蓋をするカップ蓋と、前記カップ部を壁に保持するためのカップホルダーを壁に有し、このホルダーには、前記カップ蓋を保持する蓋ホルダーが備えられ、前記カップ部の前記上縁部に前記水洗ホースの一端が連通する連通部には、連通部水栓が設けられ、前記接続手段は、蛇口または水洗タンクへの流れと水栓ホースへの流れを分岐する分岐部と分岐部水栓が設けられ、前記放水部は、前記カップ部の縁部に配置されたリング状のパイプを有し、このパイプにはリング状の長手方向に複数の放水孔が前記カップ部の中心部へ向かって形成されたことを特長とするハンディートイレである。
【００１０】
第三発明は、さらに、前記カップ部は、男性の局部の周囲で身体の曲面に密着する縁部形状を有し、前記排尿ホースおよび前記水洗ホースは、変形が少ないシリコンゴム材質とし、前記洋式便器の縁部と前記便座との間に存在する前記隙間を大きくするために、前記便座の裏側にスペーサーを貼付けたことを特長とするハンディートイレである。
【発明の効果】
【００１１】
第一、第二、又は第三発明によれば、例えば使用後に蛇口の、または水洗タンクの水道の水を、水洗ホースを介してカップ部の縁部の放水部から、カップ部の中心部へ流すことで、簡単に、カップ部や排尿ホースの内部の洗浄が行なえ、悪臭や細菌の発生を抑えることができる。
また、排尿ホースの他端は便器の縁に固定されているので、狙いを便器に定める必要がない。
また、カップ部は静止させる必要がなく、よって身体を静止し続けなければならないことはないので、使用しやすい。
【００１２】
第二、又は第三発明によれば、さらに、カップ部は、前記カップ部を壁に保持するためのカップホルダーを壁に有するので、排尿ホースの固定や水洗ホースの接続をそのままにして、壁に保持することができ、使用時に取付る必要がなく、カップ部を壁から外して直ちに使用できる。
【００１３】
また、排尿ホースの固定手段は、この洋式便器の縁部と便座との間に存在する隙間に排尿ホースの他端を固定するものであり、このため、ハンディートイレを取付けたまま、大便などをすることができる。
また、カップ部は、蓋をするカップ蓋を有するので、カップ部の内部にごみが入って汚れるのを防止できる。
また、ホルダーには、カップ蓋を保持する蓋ホルダーが備えられるので、カップ部を壁から外して使用する際に、カップ蓋を置く場所を他に探す必要がなく、直ちに使用できる。
【００１４】
また、カップ部の上縁部に水洗ホースの一端が連通する連通部には、連通部水栓が設けられるので、小便が終わったときに、蛇口の水栓まで手を伸ばさなくても、連通部水栓を用いて直ちに洗浄でき、介護が容易である。
また、水洗ホースの接続手段は、蛇口または水洗タンクの水道への流れと、水栓ホースへの流れを分岐する分岐部と分岐部水栓が設けられるので、蛇口または水洗タンクの水道とは別に機能し、便利である。
【００１５】
また、放水部は、カップ部の縁部に配置されたリング状のパイプを有し、このパイプにはリング状の長手方向に複数の放水孔が、カップ部の中心部へ向かって形成されているので、簡便な構造により効率よくカップ部の内部を洗浄できる。
【００１６】
第三発明によれば、さらに、カップ部は、男性の局部の周囲で身体の曲面に密着する縁部形状を有するので、カップ部と身体との隙間から尿が漏れることを防止できる。
また、排尿ホースおよび水洗ホースは、変形が少ないシリコンゴム材質とすることで、捩れや曲げなどの変形が少なくでき、装置を扱いやすい。
【００１７】
また、洋式便器の縁部と便座との間に存在する隙間を大きくするために、便座の裏側にスペーサーを貼付けることで、排尿ホースの他端の断面積を大きくでき、万一の尿の逆流を防止できる。
【図面の簡単な説明】
【００１８】
【図１】この発明の一実施形態を示す全体図である。
【図２】図１の実施形態の使用状態を示すもので、（ａ）は洋式便器の便座を開けて使用する状態、（ｂ）は洋式便器の便座を閉めて使用する状態である。
【図３】図１の各部分を示すもので、（Ａ）はカップ部をＡ方向から見た側面図、（Ｂ）はカップ部をＢ方向から見た正面図、（Ｃ）はカップ部のＣ−Ｃ断面図、（Ｄ）カップ部のＤ部拡大図、（Ｅ）はカップ蓋をＥ方向から見た正面図、（Ｆ）はカップ蓋をＦ方向から見た平面図である。
【図４】図１の各部分を示すもので、（Ｇ）はカップホルダーをＧ方向から見た斜視図、（Ｈ）はカップホルダーをＨ方向から見た平面図、（Ｉ）は排尿ホースの固定手段をＩ方向から見た側面図、（Ｊ）は便座の裏側のスペーサーを示す側面図である。
【発明を実施するための形態】
【００１９】
この発明の実施形態を、図１から図４に示す。
この実施形態に係るハンディートイレ１は、男性３が立って小便をするための補助具である。
【００２０】
［概略］
図１、図２などに示すように男性３の局部を覆うカップ部５は、下部に、排尿ホース７の一端が連通する。この排尿ホース７の他端は、便器９の縁に固定手段１１によって固定される。カップ部５や排尿ホース７を水洗するために、カップ部５の上縁部１３に、水洗ホース１５の一端が連通する。この水洗ホース１５の他端は、この実施形態では、蛇口１７に接続手段１９により接続される。カップ部５の縁部２１には、水洗ホース１５の一端と連通する放水部２３が配置される。放水部２３は、カップ部５の縁部２１から中心部２５へ水を流す。
【００２１】
［各部］
図３、図４などに示すように、この実施形態においては、便器９は、洋式便器である。固定手段１１は、この洋式便器の縁部２２と便座２７との間に存在する隙間２９に、排尿ホース７の他端を固定するもので、下面には、洋式便器の縁部２２に吸い付く吸盤３１を有し、上面には、排尿ホース７の他端を保持するスリーブ３３が形成される。洋式便器の縁部２２と便座２７との隙間２９を大きくするために、便座２７の裏側にスペーサー３５を貼付けた。
【００２２】
カップ部５は、お椀状で、男性３の局部の周囲で身体３７の曲面に密着する楕円状の縁部形状を有する。また、このカップ部５に蓋をするカップ蓋３９を有する。さらに、カップ部５を壁に保持するためのカップホルダー４１を壁４３に有する。カップホルダー４１は、垂直に配置されるベース板４５の下端に、水平面上の形状がＣ字状の腕部４７が設けられ、お椀状のカップ部５の下部を支える。ハンディートイレ１を使用する際には、このＣ字状の間から排尿ホース７が出入りする。そして、このホルダーのベース板４５の上下方向中央には、カップ蓋３９を保持するために、Ｕ字状の蓋ホルダー４９が備えられる。
【００２３】
水洗ホース１５の他端の接続手段１９は、蛇口１７への流れと、水栓ホースへの流れを分岐する分岐部５１が設けられる。この分岐部５１には分岐部水栓５３が備えられる。水洗ホース１５の一端が、カップ部５の上縁部１３に連通する連通部５５には、連通部水栓５７が設けられる。さらに連通する放水部２３は、カップ部５の略楕円状の縁部２１に、略楕円状のリング状のパイプ５９を配している。このパイプには、リング状の長手方向に複数の放水孔６１が、カップ部５の中心部２５へ向かって形成されている。
排尿ホース７および水洗ホース１５は、変形が少ないシリコンゴム材質からなる。
【００２４】
「実施形態の効果」
この実施形態に係るハンディートイレ１によれば、使用に際しては、壁４３のカップホルダー４１に保持されたカップ部５を外し、そのカップ部５で被介護者である男性３の局部を覆い、そのまま排尿させる。このとき、排尿ホース７の他端は便器９の縁に固定されているので、狙いを便器９に定める必要がない。そして、排尿が終わったら、蛇口１７の水を、水洗ホース１５を介してカップ部５の縁部２１の放水部２３から、カップ部５の中心部２５へ流すことで、簡単に、カップ部５や排尿ホース７の内部の洗浄が行なえ、悪臭や細菌の発生を抑えることができる。
【００２５】
また、カップ部５は、どこかに固定されて取付けられるものではなく、従って静止させる必要がなく、このため、使用者は身体を静止し続けなければならないことはないので、使用しやすい。
さらに、カップ部５は、カップ部５を壁４３に保持するためのカップホルダー４１を壁４３に有するので、排尿ホース７の固定や水洗ホース１５の接続をそのままにして、壁４３に保持することができ、使用時に、あらためて取付る必要がなく、カップ部５を壁４３から外して直ちに使用できる。
【００２６】
また、排尿ホース７の固定手段１１は、この洋式便器の縁部２２と便座２７との間に存在する隙間２９に排尿ホース７の他端を固定するものであり、このため、ハンディートイレ１を取付けたまま、他の人は大小便をすることができる。
さらに、蓋付きの便器では、蓋を開けずに、そのままハンディートイレ１を使用できる。
また、カップ部５は、蓋をするカップ蓋３９を有するので、カップ部５の内部にごみや虫が入って汚れるのを防止できる。
【００２７】
また、ホルダーには、カップ蓋３９を保持する蓋ホルダー４９が備えられるので、カップ部５を壁４３から外してカップ蓋３９を開けて使用する際に、カップ蓋３９を置く場所を他に探す必要がなく、蓋ホルダー４９に保持させ、直ちにハンディートイレ１を使用できる。
また、カップ部５の上縁部１３に水洗ホース１５の一端が連通する連通部５５には、連通部水栓５７が設けられるので、小便が終わったときに、蛇口１７の水洗まで手を伸ばさなくても、この連通部水栓５７を開けて、直ちに洗浄でき、介護が容易である。
【００２８】
また、水洗ホース１５の接続手段１９は、蛇口１７への流れと、水洗ホース１５への流れを分岐する分岐部５１と分岐部水栓５３が設けられるので、蛇口１７とは別に機能する。例えば、ハンディートイレ１の洗浄をおこないながら、蛇口１７で手を洗うことができ、便利である。
【００２９】
また、放水部２３は、カップ部５の縁部２１に配置されたリング状のパイプ５９を有し、このパイプにはリング状の長手方向に複数の放水孔６１が、カップ部５の中心部２５へ向かって形成されているので、簡便な構造により効率よくカップ部５の内部を洗浄できる。
【００３０】
さらに、カップ部５は、男性３の局部の周囲で身体３７の曲面に密着する縁部形状を有するので、カップ部５と身体３７との隙間から尿が漏れることを防止できる。
また、排尿ホース７および水洗ホース１５は、変形が少ないシリコンゴム材質とすることで、気温の低い冬などでも捩れや曲げなどの変形が少なくでき、装置を扱いやすい。
また、洋式便器の縁部２２と便座２７との間に存在する隙間２９を大きくするために、蓋の裏側にスペーサー３５を貼付けることで、容易に、排尿ホース７の他端の断面積を大きくできる。このため、断面積が小さいことによる万一の尿の逆流を防止できる。
【００３１】
「他の実施形態」
以上の実施形態では、洗浄ホースは蛇口１７に接続されるものであったが、他の実施形態では、分岐部５１を介して、水洗タンクへ給水する水道に接続するものでも良い。
以上の実施形態では、カップ部５は、男性３の局部の周囲で身体３７の曲面に密着する縁部形状として、楕円状を有し、この楕円は平面上に形成されるものであったが、他の実施形態では、平面上に形成されるのではなく、身体３７の曲面に密着するように曲面上に形成することもでき、これにより、カップ部５と身体３７との隙間２９から尿が漏れることを、より防止できる。
以上の実施形態では、便器９は、洋式便器であったが、他の実施形態では、和式便器や男性用小便器であってもよい。
【００３２】
以上の実施形態では、排尿ホース７の固定手段１１は、洋式便器の縁部２２と便座２７との間に存在する隙間２９に固定を行なうものであったが、他の実施形態では、和式便器や男性用小便器の露出した縁部に固定を行なうものでもよい。
以上の実施形態では、水洗ホース１５の他端が連通する連通部５５には、連通部水栓５７が設けられルものであったが、他の実施形態では、連通部水栓５７は必ずしも設けなくても構わない。水洗ホース１５の一端が接続する蛇口１７の水洗を使用すれば用が済むからである。
【００３３】
以上の実施形態では、蛇口１７への流れを分岐する分岐部５１に分岐部水栓５３が設けられるものであったが、他の実施形態では、分岐部水栓５３は必ずしも設けなくても構わない。水洗ホース１５が連通する連通部水栓５７を使用すれば用が済むからである。
以上の実施形態では、放水部２３は、カップ部５の縁部２１に配置されたリング状のパイプ５９を有し、このパイプにはリング状の長手方向に複数の放水孔６１が形成されたものであったが、他の実施形態では、このような別体のリング状のパイプ５９ではなく、カップ部５の縁部２１を内側に筒状に湾曲させることで、一体的に筒状部分を形成し、この筒状部分に、筒状の長手方向に複数の放水孔６１が形成されたものでもよい。
【００３４】
以上の実施形態では、洋式便器の縁部２２と便座２７との間に存在する隙間２９を大きくするために、便座２７の裏側にスペーサー３５を貼付けたが、他の実施形態では、そのようにスペーサー３５を用いず、従来の隙間２９で、排尿ホース７の他端の断面形状を、潰れたラッパ状に拡径し、横に広い大きな楕円形にすることで、断面積を大きく保つことができる。このようにしても、断面積が小さいことによる万一の尿の逆流を防止できる。
【符号の説明】
【００３５】
１…ハンディートイレ、３…男性、５…カップ部、７…排尿ホース、９…便器、１１…固定手段、１３…上縁部、１５…水洗ホース、１７…蛇口、１９…接続手段、２１…縁部、２２・・縁部、２３…放水部、２５…中心部、２７…便座、２９…隙間、３１…吸盤、３３…スリーブ、３５…スペーサー、３７…身体、３９…カップ蓋、４１…カップホルダー、４３…壁、４５…ベース板、４７…腕部、４９…蓋ホルダー、５１…分岐部、５３…分岐部水栓、５５…連通部、５７…連通部水栓、５９…リング状のパイプ、６１…放水孔。
【図１】
0005305541.tif 000002
【図２】
0005305541.tif 000003
【図３】
0005305541.tif 000004
【図４】
0005305541.tif 000005